(57)【要約】【課題】すべり板上面から取付ボルト等を突出させずに、すべり板を建物躯体に固定可能な、すべり支承の支持構造、およびすべり支承支持構造の構築方法を提供する。【解決手段】すべり支承の支持構造は、すべり支承体１１の下方にすべり板２４が設けられたすべり支承の支持構造であって、すべり板２４は、土台板２２により支持され、上面２４ｔから挿入されたねじ部材３０により土台板２２に固定されており、ねじ部材３０の天端３０ｔは、すべり板２４の上面２４ｔと面一または上面２４ｔより下方に位置している。【選択図】図１
2020084518.tif 000002
【特許請求の範囲】
【請求項１】
すべり支承体の下方にすべり板が設けられたすべり支承の支持構造であって、
前記すべり板は、土台板により支持され、上面から挿入されたねじ部材により前記土台板に固定されており、
前記ねじ部材の天端は、前記すべり板の上面と面一または前記上面より下方に位置していることを特徴とするすべり支承の支持構造。
【請求項２】
前記土台板の上にはすべり板補強板が設けられ、前記すべり板は前記すべり板補強板の上に設けられ、
前記すべり板、前記すべり板補強板、及び前記土台板には、前記ねじ部材が挿入される貫通孔が設けられており、
前記土台板の下面には、前記ねじ部材が締め込まれるナットが設けられていることを特徴とする請求項１に記載のすべり支承の支持構造。
【請求項３】
すべり支承体の下方にすべり板が設けられたすべり支承支持構造の構築方法であって、
前記すべり板の下方側、下部躯体のコンクリート面上に前記すべり板の高さ調整治具を設置し、当該高さ調整治具上に前記すべり板を支持する土台板を設け、前記コンクリート面と前記土台板との間にコンクリートを打設する工程と、
前記土台板の上方に前記すべり板を設け、ねじ部材の天端が前記すべり板の上面と面一または前記上面より下方に位置するように、前記すべり板の上面から前記ねじ部材を挿入させて前記すべり板を前記土台板に固定する工程と、
前記すべり支承体の上部に、上部躯体に埋設結合させるシアコネクタが取り付けられた上部プレートを固設する工程と、
を有することを特徴とするすべり支承支持構造の構築方法。
【発明の詳細な説明】
【技術分野】
【０００１】
本発明は、免震装置の下面側、または上面側にすべり板が設置されたすべり支承の支持構造、およびすべり支承支持構造の構築方法に関する。
【背景技術】
【０００２】
近年にあっては、地震発生に伴う被害を低減する目的で、木造住宅から超高層建物に至る数多くの建物に免震装置が設置されている。その免震装置のなかで、地震等による振動が上部構造に伝達されるのを抑えるため、すべり支承が用いられている。
特許文献１には、建物の基礎上に打設されたコンクリート上に、免震装置が固定されるベースプレートを備える構成が開示されている。その構成では、ベースプレートには、免震装置を固定するためにボルトがねじ込まれる袋ナットが設けられている。
特許文献１に開示されたような構成では、免震装置を固定するためのボルトが、ベースプレート上に突出している。そのために、免震装置をすべり支承に適用しようとすると、ベースプレート上に突出したボルトが、免震装置の滑り移動の妨げとなる。
【０００３】
例えば、特許文献２には、プレキャスト版の上面にステンレス製の滑り版が敷設され、滑り版の上面にすべり支承を載置する構成が開示されている。
特許文献２に開示されたような構成では、滑り版上に取付ボルト等の突起物がある場合、滑り支承のすべり移動の妨げとなる。このため、滑り版上に突起物を設けなければいけない場合には、突起物は、すべり支承の移動範囲外に配置する必要がある。このため、滑り版が大型化し、すべり支承を設けるために必要な設置スペースも大きくなる。
【０００４】
また、特許文献３には、建物の下部基礎に設けたコンクリート製の架台上に、鋼板からなるベースプレートと、支承免震装置のベースプレートであるすべり支承板とが設けられ、すべり支承板上に、免震部材の剛すべり支承体が滑り移動可能に設けられた構成が開示されている。
特許文献３に開示されたような構成では、特許文献２と同様に、すべり支承板に取付ボルト等の突起物があると、免震部材の剛すべり支承体の滑り移動の妨げとなる。このため、すべり支承板上に突起物を設けなければいけない場合、突起物は、免震部材の剛すべり支承体の移動範囲外に配置する必要がある。このため、すべり支承板が大型化し、免震部材を設けるために必要なスペースも大きくなる。
【先行技術文献】
【特許文献】
【０００５】
【特許文献１】特開２００７−７７６１７号公報
【特許文献２】特許第３７０５８６５号公報
【特許文献３】特開２００５−４８５２３号公報
【発明の概要】
【発明が解決しようとする課題】
【０００６】
本発明の目的は、すべり板上面から取付ボルト等を突出させずに、すべり板を建物躯体に固定可能な、すべり支承の支持構造、およびすべり支承支持構造の構築方法を提供することである。
【課題を解決するための手段】
【０００７】
本発明者らは、免震装置の下面にすべり板が設置されたすべり支承の支持構造として、すべり板の下面側に土台板を設け、すべり板の上面から挿入させたねじ部材を土台板に固定するとともに、ねじ部材の天端をすべり板の上面より下方側の位置までねじ込むことで、すべり板上に取付ボルト等を突出されることなくすべり板を固定できる点に着眼して、本発明に至った。
本発明は、上記課題を解決するため、以下の手段を採用する。
すなわち、本発明のすべり支承の支持構造は、すべり支承体の下方にすべり板が設けられたすべり支承の支持構造であって、前記すべり板は、土台板により支持され、上面から挿入されたねじ部材により前記土台板に固定されており、前記ねじ部材の天端は、前記すべり板の上面と面一または前記上面より下方に位置していることを特徴とする。
このような構成によれば、すべり板の上面にねじ部材の天端を突出させることなく、すべり板の下方の土台板にすべり板を固定することができる。すべり板の上面に突出物がないことで、すべり板上を滑動するすべり支承体の移動範囲が狭められるのを抑えることができる。したがって、すべり板の上面に突出物が現れるように取付ボルト等ですべり板を固定する場合に比べて、すべり板を大型化することなく、当該すべり板上に設置する免震装置の移動可能範囲を大きく確保できる。その結果、すべり支承体の設計自由度を高めることができる。
【０００８】
本発明の一態様においては、本発明のすべり支承の支持構造は、前記土台板の上にすべり板補強板が設けられ、前記すべり板は前記すべり板補強板の上に設けられ、前記すべり板、前記すべり板補強板、及び前記土台板には、前記ねじ部材が挿入される貫通孔が設けられており、前記土台板の下面に前記ねじ部材が締め込まれるナットが設けられている。
このような構成によれば、すべり板の下方に、すべり板補強板が設けられることで、すべり板の面外剛性が高められる。さらに、ねじ部材は、すべり板の上方からすべり板、すべり板補強板、及び土台板に設けられた貫通孔を介して挿入されるねじ部材により、土台板の下面に設けられたナットに締め込まれる。これにより、すべり板と、すべり板補強板と、土台板とが強固に一体化され、すべり板の面外剛性を有効に高めることができる。
【０００９】
本発明の一態様においては、本発明のすべり支承支持構造の構築方法は、すべり支承体の下方にすべり板が設けられたすべり支承支持構造の構築方法であって、前記すべり板の下方側、下部躯体のコンクリート面上に前記すべり板の高さ調整治具を設置し、当該高さ調整治具上に前記すべり板を支持する土台板を設け、前記コンクリート面と前記土台板との間にコンクリートを打設する工程と、前記土台板の上方に前記すべり板を設け、ねじ部材の天端が前記すべり板の上面と面一または前記上面より下方に位置するように、前記すべり板の上面から前記ねじ部材を挿入させて前記すべり板を前記土台板に固定する工程と、前記すべり支承体の上部に、上部躯体に埋設結合させるシアコネクタが取り付けられた上部プレートを固設する工程と、を有することを特徴とする。
このような構成によれば、すべり板の上面にねじ部材が突出していないすべり支承の支持構造を実現することができる。
【発明の効果】
【００１０】
本発明によれば、すべり板上面から取付ボルト等を突出させずに、すべり板を建物躯体に固定可能な、すべり支承の支持構造、およびすべり支承支持構造の構築方法を提供することが可能となる。
【図面の簡単な説明】
【００１１】
【図１】本実施形態におけるすべり支承の支持構造の構成を示す断面図である。
【図２】図１のすべり支承の支持構造を構成する土台板の下方に設けられた高さ調整部材の配置を示す平面図である。
【図３】図１のすべり支承の支持構造における、すべり板、すべり板補強板、および土台板の締結構造を示す部分拡大断面図である。
【図４】図３のすべり支承の支持構造における、すべり板、すべり板補強板、および土台板の締結構造の部品構成を示す展開図である。
【図５】本実施形態におけるすべり支承支持構造の構築方法において、下部躯体を構成するコンクリート部を設けた状態を示す断面図である。
【図６】本実施形態におけるすべり支承支持構造の構築方法において、土台板を高さ調整部材で支持した状態を示す断面図である。
【図７】本実施形態におけるすべり支承支持構造の構築方法において、コンクリート面と土台板との間にコンクリートを打設した状態を示す断面図である。
【図８】本実施形態におけるすべり支承支持構造の構築方法において、土台板の上方にすべり板を設け、ねじ部材の天端がすべり板の上面より下方に位置するように、すべり板を土台板に固定した状態を示す断面図である。
【発明を実施するための形態】
【００１２】
本発明は、免震装置の下面にすべり板が設置されたすべり支承の支持構造と、すべり支承支持構造の構築方法である。すべり支承の支持構造は、すべり板を固定する土台板と、その土台板上に設置するすべり板補強板と、そのすべり板補強板上に設置するすべり板とを３層構造として積層化した後、そのすべり板の上面からねじ部材（例えば、皿ボルト）を土台板に溶接されたナットに挿入して固定することを特徴とする。
以下、添付図面を参照して、本発明によるすべり支承の支持構造、およびすべり支承支持構造の構築方法を実施するための形態について、図面に基づいて説明する。
本実施形態におけるすべり支承の支持構造の構成を示す断面図を図１に示す。図１のすべり支承の支持構造を構成するＡ−Ａ断面位置から下方側に見下ろした土台板の下方側に設けられた高さ調整部材の配置を示す平面図を図２に示す。図１のすべり支承の支持構造における、すべり板、すべり板補強板、および土台板の締結構造を示すＢ部分の部分拡大断面図を図３に示す。図３のすべり支承の支持構造における、すべり板、すべり板補強板、および土台板の締結構造の部品構成を示す展開図を図４に示す。なお、図２においては、後に説明する土台板２２と高さ調整治具２５以外の構成要素は省略して示されている。
図１に示されるように、建物１は、下部躯体２と上部躯体３との間に、すべり支承部１０を備えている。
【００１３】
下部躯体２は、地盤Ｇ上に所定の厚さで設けられた砕石層４上に、コンクリート部６を備えている。
上部躯体３は、下部躯体２の上方に間隔をあけて設けられている。上部躯体３は、すべり支承部１０が設けられる部分に、下方に向かって突出するフーチング７を備えている。
すべり支承部１０は、下部躯体２上に設けられたベース部２０と、ベース部２０上に設けられたすべり支承体１１と、を備えている。
【００１４】
ベース部２０は、土台部２１と、土台板２２と、すべり板補強板２３と、すべり板２４と、を主に備えている。土台部２１は、下部躯体２のコンクリート部６上に形成されている。土台部２１は、コンクリート部６と土台板２２との間に、コンクリート２１ｃが打設されることで形成されている。
土台板２２は、例えば溶融黒鉛メッキ鋼板等からなり、土台部２１上に設けられている。土台板２２は、コンクリート部６のコンクリート面６ｆ上に設置された複数の高さ調整治具２５によって、所定の水平度で支持されている。図２に示されるように、高さ調整治具２５は、土台板２２において、水平方向に間隔をあけた複数個所に設けられている。図１に示されるように、高さ調整治具２５は、コンクリート部６にアンカー部材２５ａによって固定されたベース板２５ｂと、ベース板２５ｂ上に設けられたねじ軸２５ｃと、ねじ軸２５ｃがねじ込まれ、土台板２２を支持する支持部材２５ｄと、を備える。高さ調整治具２５は、支持部材２５ｄをねじ軸２５ｃに対して回転させることで、支持部材２５ｄで支持する土台板２２の高さが調整可能となっている。
また、土台板２２の下面には、土台部２１のコンクリート２１ｃに埋設されるスタッド２６が設けられている。
すべり板補強板２３は、土台板２２上に設けられている。すべり板補強板２３は、例えば１６ｍｍの厚手の亜鉛メッキ鋼板等からなり、土台板２２の全体を上方から覆うように設けられている。
すべり板２４は、すべり板補強板２３上に設けられている。すべり板２４は、例えば、６ｍｍのステンレス鋼板等からなり、すべり板補強板２３の全体を上方から覆うように設けられている。
【００１５】
上記の土台板２２と、すべり板補強板２３と、すべり板２４とは、ねじ部材３０、および外周ねじ部材３１によって、一体に締結されている。
土台板２２の外周部の複数個所には、外周ナット部材２７が設けられている。外周ナット部材２７は、土台板２２の下面側に溶接され、上下方向に延びる雌ねじ孔を有している。土台板２２、すべり板補強板２３、すべり板２４には、外周ナット部材２７に連通する位置に、それぞれ貫通孔を有している。外周ねじ部材３１は、すべり板２４の上側から、貫通孔を通して外周ナット部材２７の雌ねじ孔に締結されている。この外周ねじ部材３１は、その頭部がすべり板２４の上面２４ｔから上方に突出している。
【００１６】
また、土台板２２において外周ナット部材２７が設けられた外周部よりも内側の複数個所には、ナット２８が設けられている。図３、図４に示されるように、ナット２８は、その上部が、土台板２２に形成された貫通孔２２ｈに挿通され、土台板２２の下面２２ｂから下方に突出している。ナット２８は、土台板２２の下面２２ｂに溶接等により接合されている。ナット２８は、上下方向に延びる雌ねじ孔２８ｈを有している。すべり板補強板２３には、ナット２８の雌ねじ孔２８ｈに連通する位置に、貫通孔２３ｈが形成されている。この貫通孔２３ｈには、ねじ溝が形成されている。また、すべり板２４には、ナット２８の雌ねじ孔に連通する位置に、貫通孔２４ｈが形成されている。貫通孔２４ｈは、上方から下方に向かってその内径が漸次縮小するテーパ状に形成されている。
ねじ部材３０は、すべり板２４の上面２４ｔから、すべり板２４の貫通孔２４ｈ、すべり板補強板２３の貫通孔２３ｈを通して、ナット２８の雌ねじ孔２８ｈに締め込まれている。ここで、ねじ部材３０は、いわゆる皿ねじであり、その天端３０ｔが平面状に形成されている。ねじ部材３０は、天端３０ｔの下側に、下方に向かって外径が漸次小さくなるテーパ面３０ｂを備えている。ねじ部材３０は、図３、図４に示すようにテーパ面３０ｂをすべり板２４の貫通孔２４ｈの内周面に突き当てた状態で、天端３０ｔが、すべり板２４の上面２４ｔと面一、または上面２４ｔより下方に位置している。
このようにして、すべり板２４は、土台板２２に支持されるとともに、土台板２２に固定されている。
【００１７】
図１に示されるように、すべり支承体１１は、下部プレート１２と、上部プレート１３と、積層ゴム部１４と、を備えている。
下部プレート１２は、上記のベース部２０のすべり板２４上に設けられている。下部プレート１２は、すべり板２４の上面２４ｔに沿って水平面内で滑動自在となっている。下部プレート１２が滑動する範囲内では、上記ねじ部材３０によってすべり板２４がすべり板補強板２３および土台板２２に固定されている。ねじ部材３０の天端３０ｔは、すべり板２４の上面２４ｔから上方に突出していないので、ねじ部材３０によってすべり板２４の滑動が妨げられることがない。
また、外周ねじ部材３１は、すべり板２４上における下部プレート１２の滑動範囲外に配置されているので、外周ねじ部材３１によってすべり板２４の滑動が妨げられることはない。
【００１８】
上部プレート１３は、上部躯体３のフーチング７の下面に設けられている。上部プレート１３は、シアコネクタ１５を一体に備えている。シアコネクタ１５は、フーチング７に埋設結合されている。
積層ゴム部１４は、下部プレート１２と上部プレート１３との間に設けられている。積層ゴム部１４は、鋼板とゴム層とが交互に積層されてなる。
このような構成において、すべり支承体１１は、上部プレート１３がシアコネクタ１５を介して上部躯体３のフーチング７に固定されている。これにより、すべり支承体１１の上部プレート１３には、地震発生時等に、上部躯体３側からの変位が入力され、上部躯体３と一体的に変位する。これに対し、上部躯体３と一体的に変位するすべり支承体１１は、下部プレート１２がすべり板２４の上面２４ｔに沿って滑動する。
【００１９】
（すべり支承支持構造の構築方法）
次に、本実施形態に係るすべり支承支持構造の構築方法について説明する。
本実施形態におけるすべり支承支持構造の構築方法において、下部躯体を構成するコンクリート部を設けた状態を示す断面図を図５に示す。本実施形態におけるすべり支承支持構造の構築方法において、土台板を高さ調整部材で支持した状態を示す断面図を図６に示す。本実施形態におけるすべり支承支持構造の構築方法において、コンクリート面と土台板との間にコンクリートを打設した状態を示す断面図を図７に示す。本実施形態におけるすべり支承支持構造の構築方法において、土台板の上方にすべり板を設け、ねじ部材の天端がすべり板の上面より下方に位置するように、すべり板を土台板に固定した状態を示す断面図を図８に示す。
本実施形態のすべり支承支持構造の構築方法は、コンクリート面６ｆと土台板２２との間にコンクリート２１ｃを打設する工程と、すべり板２４を土台板２２に固定する工程と、すべり支承体１１の上部に上部プレート１３を固設する工程と、を有する。
【００２０】
（コンクリート面６ｆと土台板２２との間にコンクリート２１ｃを打設する工程）
上記したようなすべり支承部１０を構築するには、まず、図５に示されるように、地盤Ｇを改良した後、地盤Ｇ上に砕石層４を所定の厚さで設ける。さらに、砕石層４上に、コンクリート部６を所定の厚さで形成する。
続いて、図６に示されるように、コンクリート部６のコンクリート面６ｆ上に、土台部２１のコンクリート２１ｃ中に埋設する鉄筋（図示無し）を配筋するとともに、複数の高さ調整治具２５を設置する。この後、複数の高さ調整治具２５上に、土台板２２を載置する。複数の高さ調整治具２５では、土台板２２が所定の水平度となるよう、高さ調整を行う。また、土台板２２の周囲には、型枠９を組み立てる。
土台板２２の設置後、土台板２２に形成されたコンクリート打設孔２２ｐを通して、型枠９の内側で、コンクリート部６のコンクリート面６ｆと土台板２２との間に、コンクリート２１ｃを打設する。ここで、土台板２２に設けられたナット２８、外周ナット部材２７は、コンクリート２１ｃが雌ねじ孔に侵入しないよう、下端にボルト等をねじ込んでおくのが好ましい。
打設したコンクリート２１ｃが硬化し、所定の強度を発現したら、型枠９を解体撤去する。これにより、図７に示されるように、土台部２１が形成される。このとき、土台板２２の下面２２ｂに設けられたスタッド２６により、土台板２２は土台部２１のコンクリート２１ｃに定着固定される。
【００２１】
（すべり板２４を土台板２２に固定する工程）
次に、土台板２２上に、すべり板補強板２３と、すべり板２４とを順次載せる。図８に示されるように、すべり板２４、すべり板補強板２３は、ねじ部材３０および外周ねじ部材３１により、土台板２２に締結固定する。具体的には、前述したように、ねじ部材３０を、すべり板２４の上面２４ｔから、すべり板２４の貫通孔２４ｈ、すべり板補強板２３の貫通孔２３ｈを通して、ナット２８の雌ねじ孔２８ｈに締め込む。これにより、ねじ部材３０は、天端３０ｔが、すべり板２４の上面２４ｔと面一、または上面２４ｔより下方に位置する。
また、すべり板２４の外周部では、外周ねじ部材３１を、すべり板２４の上側から、貫通孔を通して外周ナット部材２７の雌ねじ孔に締結させる。これにより、すべり板２４が土台板２２に固定される。
【００２２】
（すべり支承体１１の上部に、上部プレート１３を固設する工程）
この後、図１に示されるように、すべり板２４上に、すべり支承体１１を載せる。すべり支承体１１の上部には、上部躯体３に埋設結合させるシアコネクタ１５が取り付けられた上部プレート１３が固設される。
しかる後、上部プレート１３上に、上部躯体３のフーチング７を形成する。これにより、上記したようなすべり支承部１０が構築される。
【００２３】
上述したようなすべり支承の支持構造によれば、すべり支承体１１の下方にすべり板２４が設けられたすべり支承の支持構造であって、すべり板２４は、土台板２２により支持され、上面２４ｔから挿入されたねじ部材３０により土台板２２に固定されており、ねじ部材３０の天端３０ｔは、すべり板２４の上面２４ｔと面一または上面２４ｔより下方に位置している。
このような構成によれば、すべり板２４の上面２４ｔにねじ部材３０の天端３０ｔを突出させることなく、すべり板２４の下方の土台板２２にすべり板２４を固定することができる。その結果、すべり板２４の上面２４ｔからねじ部材３０を突出させずに、すべり板２４を建物１の下部躯体２に固定可能となる。このように、すべり板２４の上面２４ｔに突出物がないことで、すべり板２４上を滑動するすべり支承体１１の移動範囲が狭められるのを抑えることができる。したがって、すべり板の上面に突出物が現れるように取付ボルト等ですべり板を固定する場合に比べて、すべり板２４を大型化することなく、当該すべり板２４上に設置する免震装置の移動可能範囲を大きく確保できる。これにより、すべり支承体１１の設計自由度を高めることができる。
【００２４】
また、土台板２２の上にはすべり板補強板２３が設けられ、すべり板２４はすべり板補強板２３の上に設けられ、すべり板２４、すべり板補強板２３、及び土台板２２には、ねじ部材３０が挿入される貫通孔２４ｈ、２３ｈ、２２ｈが設けられており、土台板２２の下面２２ｂには、ねじ部材３０が締め込まれるナット２８が設けられている。
このような構成によれば、すべり板２４の下方に、すべり板補強板２３が設けられることで、すべり板２４の面外剛性が高められる。さらに、ねじ部材３０は、すべり板２４の上方からすべり板２４、すべり板補強板２３、及び土台板２２に設けられた貫通孔２４ｈ、２３ｈ、２２ｈを介して挿入されるねじ部材３０により、土台板２２の貫通孔２２ｈに上端が挿通されて下面２２ｂから下方へ突出するように設けられたナット２８に締め込まれる。これにより、すべり板２４と、すべり板補強板２３と、土台板２２とが強固に一体化され、すべり板２４の面外剛性を有効に高めることができる。
また、すべり板２４は、すべり板補強板２３を介して土台板２２に固定する３層構造とすることで、すべり支承体を支持するステンレス製のすべり板２４単体を薄くできるために、すべり支承の支持構造を構築する際に、すべり板２４を所定位置に設置するための持ち運びや設置精度の調整を比較的容易にできる。ステンレス製のすべり板２４単体が薄くなることで、低コスト化が可能で、かつ加工が容易となる。また、土台板２２とすべり板２４を直接積層化するのではなく、土台板２２とすべり板２４との間にすべり板補強板２３を設置することで、土台板２２のコンクリート打設孔部分のコンクリート表面の凹凸形状をすべり板補強板２３が吸収し、すべり板２４に影響しないようにコンクリート表面の不陸を取り除くことができる。
なお、すべり板２４は、実施例では６ｍｍ厚さのステンレス製とし、すべり板２４に皿ビスの皿が切れる寸法とした。
【００２５】
また、すべり支承の支持構造は、最下段に高さ調整治具２５を設置し、当該高さ調整治具２５上に、土台板２２とすべり板補強板２３、すべり板２４を設置して構成されるために、すべり支承を容易に所定の高さ位置に構築することができる。
【００２６】
また、上述したようなすべり支承支持構造の構築方法は、すべり板２４の下方側、下部躯体２のコンクリート面６ｆ上にすべり板２４の高さ調整治具２５を設置し、高さ調整治具２５上にすべり板２４を支持する土台板２２を設け、コンクリート面６ｆと土台板２２との間にコンクリート２１ｃを打設する工程と、土台板２２の上方にすべり板２４を設け、ねじ部材３０の天端３０ｔがすべり板２４の上面２４ｔより下方に位置するように、すべり板２４の上面２４ｔからねじ部材３０を挿入させてすべり板２４を土台板２２に固定する工程と、すべり支承体１１の上部に、上部躯体３に埋設結合させるシアコネクタ１５が取り付けられた上部プレート１３を固設する工程と、を有する。
このような構成によれば、すべり板２４の上面２４ｔにねじ部材３０が突出していないすべり支承の支持構造を実現することができる。
【００２７】
なお、本発明のすべり支承の支持構造、およびすべり支承支持構造の構築方法は、図面を参照して説明した上述の実施形態に限定されるものではなく、その技術的範囲において様々な変形例が考えられる。
例えば、上記実施形態では、建物１が下部躯体２と上部躯体３とを備えるようにしたが、その構造はいかなるものであってもよい。また、上記実施形態では、土台板２２の外周部の複数個所には、外周ナット部材２７が設けられ、すべり板補強板２３とすべり板２４が外周ねじ部材３１により土台板２２に固定されているが、外周ナット部材２７、及び外周ねじ部材３１を設けない構成でもよい。
また、上記実施形態においては、ナット２８は上端が土台板２２の貫通孔２２ｈに挿通されて下面２２ｂから下方へ突出するように設けられ、すべり板２４の上方からねじ部材３０が、すべり板２４、すべり板補強板２３、及び土台板２２に設けられた貫通孔２４ｈ、２３ｈ、２２ｈの内部を通るように挿入されてナット２８に締め込まれていたが、これに限られない。例えば、ナット２８の上端が土台板２２の下面２２ｂの、土台板２２の貫通孔２２ｈに連通する位置に固定され、すべり板２４の上方からねじ部材３０が、すべり板２４、すべり板補強板２３、及び土台板２２に設けられた貫通孔２４ｈ、２３ｈ、２２ｈの内部を通るように挿入されて、土台板２２の下方のナット２８に締め込まれていてもよい。
これ以外にも、本発明の主旨を逸脱しない限り、上記実施の形態で挙げた構成を取捨選択したり、他の構成に適宜変更したりすることが可能である。
本発明の関連技術として説明すると、上記実施形態では、すべり支承体１１の下方にすべり板２４が設置されているが、すべり板と接してすべり板上を滑動する下部プレートが上方を向くように、ベース部２０にすべり支承体１１を接合したうえで、すべり支承体１１の上方にすべり板を設置し、上部躯体内にすべり板補強板、及び土台板が設けられてもよい。
【符号の説明】
【００２８】
２  下部躯体                            ２２ｈ、２３ｈ、２４ｈ  貫通孔
３  上部躯体                            ２３  すべり板補強板
６ｆ  コンクリート面                    ２４  すべり板
１１  すべり支承体                      ２４ｔ  上面
１３  上部プレート                      ２５  高さ調整治具
１５  シアコネクタ                      ２８  ナット
２１ｃ  コンクリート                    ３０  ねじ部材
２２  土台板                            ３０ｔ  天端
２２ｂ  下面
【図１】
2020084518.tif 000003
【図２】
2020084518.tif 000004
【図３】
2020084518.tif 000005
【図４】
2020084518.tif 000006
【図５】
2020084518.tif 000007
【図６】
2020084518.tif 000008
【図７】
2020084518.tif 000009
【図８】
2020084518.tif 000010